(57)【特許請求の範囲】
【請求項１】
カウンターの前端部分にそって取り付けられ、作業者が掴持するサポートバーにおいて、内部を収納部とした略円筒形状の筒体のバーを備え、その収納部の上方に出し入れ開口を設けるとともに、この出し入れ開口に開閉可能な蓋体を設け、収納部内の底部に略フラットな底面を形成し、収納部には底面をフラットにした収納体を収納部内の前記略フラットな底面に載置した状態で着脱自在に備えたことを特徴とするサポートバー。
【発明の詳細な説明】
【０００１】
【発明の属する技術分野】
本発明は、 流し台、洗面台等のカウンター本体の前端部分にそって取り付けられるサポートバーに関するものである。
【０００２】
【従来の技術】
従来から、カウンター本体の前端部分にそって取り付けられるサポートバーは知られている。したがって、特に高齢者や体の不自由な作業者は、このサポートバーを掴持しつつ体の移動をスムーズに行いながらキッチンや洗面所等における作業を行うことができる。
【０００３】
【発明が解決しようとする課題】
しかしながら、上記従来の技術においては、特に高齢者や体の不自由な作業者にとって動き易さは確保できても、台所における収納物を出し入れのし易さを考慮したものではなかった。従って、台所の作業で使用頻度の多い調味料や調理器具など小物用品の取り出しには、例えばキッチンカウンター上の収納部まで手を伸ばしたり、キッチンユニットの引き出しを開けたりするなどの作業が必要となり、作業効率が悪いという問題があった。
【０００４】
本発明は、上記事由に鑑みてなしたもので、その目的とするところは、小物用品の出し入れが容易になるような収納部を備えたサポートバーを提供することにある。
【０００５】
【課題を解決するための手段】
上記目的を達成するために、本発明のサポートバーにあっては、カウンターの前端部分にそって取り付けられ、作業者が掴持するサポートバーにおいて、内部を収納部とした筒体のバーを備え、その収納部の上方に出し入れ開口を設けたことを特徴としている。この場合、作業者はサポートバー内の収納部にキッチン等での作業に必要な小物用品などを収納することができる。
【０００６】
そして、上記サポートバーは、開閉可能な蓋体を出し入れ開口に設けてなることが好ましい。この場合、作業者は収納部への出し入れが終われば、蓋体により出し入れ開口を閉めておくことが可能となる。
【０００７】
また、上記サポートバーは、収納部には着脱可能な収納体が備えられていることが好ましい。この場合、小物等を収納したままでも収納体が移動可能となる。
【０００８】
また、上記サポートバーは、筒体のバーの形状を略円筒とするのが好ましい。この場合、サポートバーは作業者の掌中におさまり易くなり、掴持するのに都合のよい形状となる。
【０００９】
また、上記サポートバーは、収納部内の底部に略フラットな底面が形成されることが好ましい。この場合、略円筒の内部に設けられた収納部に、底面又は底面の一部が略フラットな安定性のある収納体を置くことが可能となる。
【００１０】
【発明の実施の形態】
図１乃至図２は、本発明の請求項１乃至５全てに対応する一実施の形態を示し、図１は、本発明の一実施の形態のサポートバーを示す斜視図である。図２は、同サポートバーを示す断面図である。図３は同サポートバー内に収納される収納体を示す概略平面図である。
【００１１】
この実施の形態のサポートバーは、図１に示す通り、カウンター１の前端部分２にそって取り付けられている。図２に示す通り、サポートバー内部には収納部３が備えられており、その収納部３の上方には丁番４で軸止された上下に開閉可能な蓋体５が設けられている。蓋体５が設けられていない場合であっても、収納部３には小物用品の収納が可能であり、使用者は使用頻度の高い例えば調味料や食事道具などをもっとも手近な場所に収納しておくことができるため、出し入れのための使い勝手は極めて良好である。特に高齢者や体の不自由な作業者にとっては、車椅子に座ったままの楽な姿勢でも容易に小物用品の出し入れが可能となるので、車椅子対応の設計プランにも貢献する発明である。
【００１２】
この場合は蓋体５が設けられているため、使用者は収納部３への出し入れが終われば、蓋体５により出し入れ開口を閉めておくことができる。したがって、そのサポートバー内部の収納物は物体の落下による損傷、汚れ等から保護される。すなわち収納部３内は防塵、防滴を有することとなるため、収納物は清潔に保たれる。又、蓋体５により収納部３が覆われ、その内部は作業者の視界から遮られるためサポートバー全体の美観も確保される。本実施例の蓋体５は丁番４で軸止されているが、収納部３を覆う目的を達していればその構成に限定されるものではなく、例えば観音開き式であってもスライド式であっても良い。
【００１３】
蓋体５には開閉が行い易いように、取っ手部６があってよい。また、蓋体５は、収納部３の略円弧と連続して略円筒を形成するように、その断面が略円弧を形成するようにされていることが望ましい。この場合、蓋体５が閉められた状態で作業者がサポートバーを掴持する際、掌中に違和感を感じることがなくなる。本実施例でサポートバーを略円筒としたのは、作業者がサポートバーを掴持する際、手に伝わる違和感を減少させるためのものである。
【００１４】
収納部３には着脱可能な収納体７が、収納部３内の底部に形成された略フラットな底面８上に載置されている。この場合、収納体７は着脱可能となっているので、小物等を収納したままでも収納体７の移動が可能となる。したがって、例えば別の場所で食事の用意を行う場合に、必要な調味料や食事道具をそろえて移動でき、使い勝手が良好である。収納体７が汚れた場合であっても、収納部３より外して丸洗いすることができ、収納体７を清潔に保っておくことが容易に行える。
【００１５】
また、収納部３内の底部に形成された底面８がフラットになっているため、底面をフラットにした収納体７であっても、収納部３内に載置した場合の安定性は十分確保される。もちろん、収納体７の底面又は底面の一部がフラットに形成されているということは、収納体７を移動して使用する場合、平面な場所であればどこにでも安定して置くことができるようになることは言うまでもない。
【００１６】
サポートバー本体９はカウンター１の前端部分２に、取付棹１０にて取り付けられている。サポートバー本体９や取付棹１０はアルミ等ステンレスの金属から構成されていることが望ましい。この場合、通常作業者の手に触れる機会の多いサポートバーであっても、手垢等による汚れは目立たず、また水を扱うキッチンや洗面所等において水滴がかかった場合でも、錆などは生じにくい。また、十分な強度を有する金属であるため、人間の力による作用を受けても変形などのおそれはほとんどない。
【００１７】
収納体の一実施例としては、例えばキッチンのカウンターに取り付けられる場合は、図３に示す通り、調味料入れ１１や箸等の食事道具入れ１２など、独立した間仕切りスペースが備えられていると、収納物の整理がしやすく使い勝手が良好である。もちろん、洗面台のカウンター等、他のカウンターに取り付けられる場合も、多目的利用のための間仕切りスペースが備えられていることが望ましいのは言うまでもない。
【００１８】
【発明の効果】
本発明のサポートバーは、上述の実施態様の如く実施されて、作業者はサポートバー内の収納部にキッチンでの作業に必要な小物用品などを収納することができるので、使用者は使用頻度の高い小物用品をもっとも手近な場所に収納しておくことができ、出し入れのための使い勝手は極めて良好である。特に高齢者や体の不自由な作業者にとっては、車椅子に座ったままの楽な姿勢でも容易に小物用品の出し入れが可能となるので、車椅子対応の設計プランにも貢献する。
【００１９】
そして、使用者は収納部への出し入れが終われば、蓋体により出し入れ開口を閉めておくことが可能となるので、サポートバー内部の収納物は物体の落下による損傷、汚れ等から保護される。すなわち収納部内は防塵、防滴を有することとなるため、収納物は清潔に保たれる。又、蓋体により収納部が覆われ作業者の視界から遮られるため、サポートバー全体の美観も確保される。
【００２０】
そして、小物等を収納したままでも収納体が移動可能となるので、例えば別の場所で食事の用意を行う場合に、必要な調味料や食事道具をそろえて移動でき、使い勝手が良好である。収納体が汚れた場合であっても、収納部より外して丸洗いすることができ、収納体を清潔に保っておくことが容易に行える。
【００２１】
そして、略円筒となったサポートバーは作業者の掌中におさまり易くなり、掴持するのに都合のよい形状となるので、作業者がサポートバーを掴持する際、手に伝わる違和感を減少させることができる。
【００２２】
そして、略円筒の内部に設けられた収納部に、底面又は底面の一部が略フラットな安定性のある収納体を置くことが可能となるので、収納部内に載置した場合の安定性は十分確保される。もちろん、収納体の底面又は底面の一部がフラットに形成されているということは、収納体を移動して使用する場合、平面な場所であればどこにでも安定して置くことができるようになることは言うまでもない。
【図面の簡単な説明】
【図１】本発明の一実施形態であるサポートバーを示す斜視図である。
【図２】同サポートバーを示す断面図である。
【図３】同サポートバー内に収納される収納体を示す概略平面図である。
【符号の説明】
１    カウンター
２    前端部分
３    収納部
４    丁番
５    蓋体
【図１】
0004399898.tif 000002
【図２】
0004399898.tif 000003
【図３】
0004399898.tif 000004